(57)【要約】      （修正有）【課題】マット体を提供する。【解決手段】本考案のマット体３は樹脂コットンで製造され、水平方向に沿って設置される２つの平張りコットンネット３１、及び２つの平張りコットンネット３１の間に結合されて直立方向に重複する折り曲げ部が形成される直立コットンネット３２から構成され、上述の部材で構成されるマット体３の中間段の頂部と底面には、水平方向に平行に設置される複数の波状折り溝３３が設けられる。これにより、マット体３に高い嵩高性が形成されて良好な通気性、弾性、圧縮抵抗性、及び折り曲げやすくなる等の実用的な効果を有する。【選択図】図６
0003212521.tif 000002
【実用新案登録請求の範囲】
【請求項１】
水平方向に沿って設置される２つの平張りコットンネット、及び前記２つの平張りコットンネットの間に結合されて直立方向に重複する折り曲げ部が形成される直立コットンネットから構成されたマット体であって、上述の部材で構成されるマット体の中間段の頂部と底面には、水平方向に平行に設置される複数の波状折り溝が設けられることを特徴とするマット体。
【請求項２】
マット体の上面に設けられる波状折り溝及びマット体の底面に設けられる波状折り溝の位置は互い違いに配置されることを特徴とする、請求項１に記載のマット体。
【考案の詳細な説明】
【技術分野】
【０００１】
本考案は、高い嵩高性が形成が形成されて良好な通気性、弾性、圧縮抵抗性、及び折り曲げやすくなる等の実用的な効果を有するマット体に関する。
【背景技術】
【０００２】
一般的に樹脂コットンで製造されるマット体２は、図１に示すように、主に開絹及び梳綿後に、複数層の平張りコットンネット２１が下から上に重複して何度も重層するように重合されて形成される。前記マット体２に必要な厚さは平張りコットンネット２１の重層数によって決まり、重層が多いほど厚くなる形態となっている。
【考案の概要】
【考案が解決しようとする課題】
【０００３】
しかしながら、このような形態のマット体２には以下の欠点が存在する。先ず、平張りコットンネット２１が層になり横方向に重合されて形成されるマット体２は、前記マット体２の形態で重合される層が多すぎる場合、マット体２の製造時に、樹脂及び乾燥するための熱気が各層面に均等に浸透せず、マット体２の定型が不良になり、構造全体が緩み、耐用性が低くなる等の欠点が存在する。
【０００４】
次に、前記マット体２は複数の層の平張りコットンネット２１が下から上に重複して何度も重層するように重合されて形成されるため、構造は横方向の構造強度しか強くなく、縦方向の構造が相対的に弱くなり、好ましい嵩高性、弾性及び圧縮抵抗性が得られない。特に、前記マット体２がマットレスとして製造されて人がその上に寝る場合、前記マットレスが一定期間使用された後には、体重により長期間圧力を受けるため、嵩高性、弾性及び圧縮抵抗性が低下する。最後にはマット体２全体の嵩高性、弾性及び圧縮抵抗性がなくなるため、改善が待たれている。
【０００５】
続いて、図２及び図３に示すように、上述のマット体２を医療用ベッドのマットレスとして使用する場合、前記マット体２の底面、上面が直立方向に沿って一定の間隔を空けて平行に裁断されて一定の高さを有する複数本の溝部２２が形成されて、特に行動が不自由な患者が長期間病床に臥した状態でも腰や背を痛めないようにする。或いは、食事等のために患者の上半身を一定の角度起こしたり、座った状態にする場合、医療用ベッド全体の角度も調整させ、前記マット体２を必要な角度まで折り曲げられるようにする効果を提供する。
【０００６】
しかしながら、前記マット体２が最初に製造される際に、１回で必要なサイズのマットレスが製造された後、前記マット体２が底面、上面から直立方向に沿って一定の間隔を空けて平行に裁断されて一定の高さを有する複数本の溝部２２が形成され、前記マット体２が一定の角度折り曲げられる効果が提供される。前記裁断された溝部２２の本数は多くできず（一般的には２本）、本来の完全な前記マット体２が裁断されて形成される溝部２２の本数が多い場合、構造強度に影響が出るため、改善が求められる。
【０００７】
そこで、本考案者は上記の欠点が改善可能と考え、鋭意検討を重ねた結果、マット体全体に高い嵩高性が形成されて良好な通気性、弾性、圧縮抵抗性、及び折り曲げやすくなる等の実用的な効果を有するマット体を考案するに至った。
【０００８】
本考案は、上記の事情を考慮してなされたもので、上記課題解決のため、本考案は、マット体を提供することを主目的とする。
【課題を解決するための手段】
【０００９】
上述した課題を解決し、上記目的を達成するための本考案は、本考案に係るマット体は、樹脂コットンで製造され、水平方向に沿って設置される２つの平張りコットンネット、及び前記２つの平張りコットンネットの間に結合される直立方向に重複する折り曲げ部が形成される直立コットンネットから構成される。また、上述の部材で構成されるマット体の中間段の頂部と底面には、水平方向に平行に設置される波状折り溝が設けられる。
【考案の効果】
【００１０】
本考案は、マット体に高い嵩高性が形成されて良好な通気性、弾性、圧縮抵抗性、及び折り曲げやすくなる等の実用的な効果を有する。
【図面の簡単な説明】
【００１１】
【図１】従来の一実施形態のマット体を示す平面図である。
【図２】従来の他の実施形態のマット体を示す外観斜視図である。
【図３】図２に示す操作を示す概略図である。
【図４】本考案の好ましい実施形態に係るマット体を示す展開図である。
【図５】図４に示す組合せを示す外観斜視図である。
【図６】本考案のマット体が中間段に波状折り溝が設置される外観斜視図である。
【図７】本考案のマット体の部分拡大図である。
【図８】図６に示す平面操作を示す概略図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１３】
以下、図４〜８を参照しながら、本考案のマット体をさらに詳しく説明する。本考案のマット体３は、一般的なマットレスに使用され、特に折り曲げる必要がある医療用マットレスに使用される。樹脂コットンで製造され、コットンネットが開絹、梳綿された後、水平方向に沿って設置される２つの平張りコットンネット３１の間に直立方向に重複する折り曲げ部３２１が形成される直立コットンネット３２が結合される。前記直立するコットンネット３２の隣接する各折り曲げ部３２１の間には全て隙間３２２を有し、且つ上述の部材で構成されるマット体３の中間段の頂部と底面には、水平方向に平行に設置される複数の波状折り溝３３が設けられる。前記上面に設けられる波状折り溝３３及び底面に設けられる波状折り溝３３の位置は互い違いに配置される設計であり（図７及び図８参照）、マット体３全体に高い嵩高性が形成されて良好な縦方向及び横方向の構造強度、弾力、高い通気性、及び折り曲げやすくなる効果を有する。
【００１４】
このため、本考案は成形機により中間部が結合される直立コットンネット３２が先ず直立方向に重複して折り曲げられて希望の高さとサイズに形成される。次に、頂端、底端が平張りコットンネット３１を水平方向に沿って被覆させ、且つ適度な温度で加熱され、繊維自体が溶融して相互に粘着し、平張りコットンネット３１及び直立コットンネット３２の各折り曲げ部３２１の間が互いに固結して平坦なマット体３（図４及び図５参照）構造が形成される。その後、前記マット体３の中間段が上面、底面から一定の距離平行して重圧がかけられると共に適度な温度で加熱され、平張りコットンネット３１及び直立コットンネット３２の折り曲げ部３２１の重圧を受けた箇所の繊維が再度溶融して相互に粘着して固結する。そしてマット体３の上面、底面にある中間段には水平方向に平行に設置される複数の波状折り溝３３が形成される（図６参照）。
【００１５】
以上の構造形態により、マット体３が縦横及び垂直等の方向の構造強度が非常に強くなり、３次元空間の構造形態が形成され、構造強度が大幅に高まる。また、以下の長所を有する。
１．直立方向に重複する折り曲げ部が形成される直立コットンネットは、その頂端及び底端が水平方向に沿って設置される平張りコットンネットにそれぞれ結合される。これにより、マット体が実際に使用される際に、マット体が上下に折り曲げられると、マット体全体は直立コットンネットの直立方向に重複する折り曲げ部の箇所が裂かれ、マット体全体の完全性が保たれる。
２．直立コットンネットには直立方向に重複する折り曲げ部が形成され、各折り曲げ部の間には適度な隙間が形成され、マット体全体に高い嵩高性が形成されて良好な弾力、通気性、及び圧縮抵抗性を有する。
３．直立コットンネットには直立方向に重複する折り曲げ部が形成される形態であるため、折り曲げ部の高さを変えるのみで、使用者に必要なマット体の厚さ及び高さで製造可能である。特に、前記高さの改変によって、平張りコットンネットが層になって横方向に重合されて形成される従来のマット体のような通気性及び圧縮抵抗性が低く、定型が不良になるという欠点がなくなる。
４．直立方向に重複する折り曲げ部が形成される直立コットンネットは、その上面及び底面が水平方向に沿って設置される平張りコットンネットにそれぞれ結合され、マット体が構成された後、前記マット体の中間段の頂部、底面には、水平方向に平行に設置される複数の波状折り溝が設けられる。全体的な構造強度に影響せずに、特にマット体が折り曲げられる効果を提供する。
【００１６】
上述のように、本考案に係るマット体は、構造形態が従来のものとは大きく違う上、従来のマット体は層になって横方向に重合されるため、通気性がなくなり、構造が緩み、弾性及び圧縮抵抗性が低いという欠点が完全に解決する。また、極めて好ましい構造を有し、高い嵩高性が形成されて良好な通気性、弾性、圧縮抵抗性、及び折り曲げやすくなる等の実用的な効果を達成させる。
【００１７】
以上、本考案の実施形態について図面を参照して詳述したが、具体的な構成はこの実施形態に限られるものではなく、本考案の要旨を逸脱しない範囲の設計変更等も含まれる。
【符号の説明】
【００１８】
２  マット体  
２１  平張りコットンネット
２２  溝部
３  マット体
３１  平張りコットンネット
３２  直立コットンネット
３２１  折り曲げ部
３２２  隙間
３３  折り溝
【図１】
0003212521.tif 000003
【図２】
0003212521.tif 000004
【図３】
0003212521.tif 000005
【図４】
0003212521.tif 000006
【図５】
0003212521.tif 000007
【図６】
0003212521.tif 000008
【図７】
0003212521.tif 000009
【図８】
0003212521.tif 000010